(57)【要約】【課題】本発明は、コンテンツを構成するデータを管理する複数の管理システム間において互換性を与えるとともに各コンテンツの著作権を保護することができる記録媒体及び記録再生装置及びコンテンツ配布システムを提供することを目的とする。【解決手段】ＦＡＴ管理型のファイルシステムによる暗号化されたデータが光磁気ディスク１より読み出されると、暗号処理部１７で平文化されるとともに、スタートアンドエンドアドレス管理型のファイルシステムによるデータに変換される。このスタートアンドエンドアドレス管理型のファイルシステムによるデータを光磁気ディスクに記録し、それに応じて各管理テーブルを変更する。【選択図】      図１
2004206609.tif 000002
【特許請求の範囲】
【請求項１】
データを記録する単位記録領域を備え、記録する各コンテンツを構成するデータを当該データが記録された前記単位記録領域のアドレスによって管理する記録媒体において、
前記データを前記単位記録領域のアドレスによって管理する管理システムとして、第１管理システム及び第２管理システムを採用し、
前記単位記録領域が、前記第１管理システム及び前記第２管理システムそれぞれで管理される第１記録領域及び第２記録領域と、データの記録されていない第３記録領域とから構成され、
前記第１記録領域及び前記第３記録領域が前記第１管理システムによって管理されるとともに、前記第２記録領域及び前記第３記録領域が前記第２管理システムによって管理され、
前記第２記録領域の一部又は全部に暗号化データが格納され、当該暗号化データが平文化されたデータが前記第１管理システムによるデータに変換されて前記第３記録領域に記録され前記第１記録領域を生成することを特徴とする記録媒体。
【請求項２】
前記単位記録領域全ての状態を管理する第１管理テーブルと、前記第１記録領域及び前記第３記録領域を前記第１管理システムによって管理するための第２管理テーブルと、
前記第２記録領域及び前記第３記録領域を前記第２管理システムによって管理するための第３管理テーブルと、を備えることを特徴とする請求項１に記載の記録媒体。
【請求項３】
前記第１管理テーブル及び前記第３管理テーブルから前記第２管理システム用の仮想管理テーブルである第４管理テーブルが生成され、前記第２管理システムでデータを取り扱う装置に当該第４管理テーブルのみが送出されることを特徴とする請求項２に記載の記録媒体。
【請求項４】
前記暗号化データを平文化した後に、元の前記暗号化データを削除することを特徴とする請求項１〜請求項３のいずれかに記載の記録媒体。
【請求項５】
前記暗号化データを平文化するための鍵情報を獲得する際に必要な当該暗号化データより成るコンテンツ固有のコンテンツＩＤ及び当該記録媒体固有のメディアＩＤを記録することを特徴とする請求項１〜請求項４のいずれかに記載の記録媒体。
【請求項６】
前記暗号化データを平文化する暗号処理部を備えることを特徴とする請求項１〜請求項５のいずれかに記載の記録媒体。
【請求項７】
データを記録する単位記録領域を備え、記録する各コンテンツを構成するデータを当該データが記録された前記単位記録領域のアドレスによって管理するとともに、前記データを前記単位記録領域のアドレスによって管理する管理システムとして、第１管理システム及び第２管理システムを採用し、前記単位記録領域が、前記第１管理システム及び前記第２管理システムそれぞれで管理される第１記録領域及び第２記録領域と、データの記録されていない第３記録領域とから構成され、前記第２記録領域の一部又は全部に暗号化データを格納した記録媒体の読み出し及び書き込みを行う記録再生装置であり、
前記第１記録領域から読み出したデータを復号化する復号化部と、
記録するコンテンツのデータを符号化する符号化部と、
前記第２記録領域内の前記暗号化データを平文化する暗号処理部と、
前記第１記録領域及び前記第２記録領域内のデータをそれぞれ前記第１管理システム及び前記第２管理システムに従って読み出し、前記符号化部で符号化されたデータ及び前記暗号処理部で平文化されたデータを前記第１管理システムに従って書き込む信号処理部と、
を備え、
前記第１管理システムに従ってデータを前記記録媒体の前記第３記録領域に書き込むことで、前記記録媒体に第１記録領域を生成することを特徴とする記録再生装置。
【請求項８】
前記記録媒体が、前記単位記録領域全ての状態を管理する第１管理テーブルと、前記第１記録領域及び前記第３記録領域を前記第１管理システムによって管理するための第２管理テーブルと、前記第２記録領域及び前記第３記録領域を前記第２管理システムによって管理するための第３管理テーブルと、を備え、
前記第１〜第３管理テーブルが与えられ、前記第１管理テーブル及び前記第３管理テーブルから前記第２管理システム用の仮想管理テーブルである第４管理テーブルを生成するとともに、前記第２管理テーブル及び前記第４管理テーブルを記録し、
前記第２管理テーブルによって前記第１管理システムにおけるデータ管理を行うとともに前記第４管理テーブルによって前記第２管理システムにおけるデータ管理を行うことを特徴とする請求項７に記載の記録再生装置。
【請求項９】
前記記録媒体が、前記暗号化データを平文化するための鍵情報を獲得する際に必要な当該暗号化データより成るコンテンツ固有のコンテンツＩＤ及び当該記録媒体固有のメディアＩＤを記録し、
前記信号処理部が該コンテンツＩＤ及び該メディアＩＤを読み出すとともに、出力することを特徴とする請求項７又は請求項８に記載の記録再生装置。
【請求項１０】
前記記録媒体が、前記暗号化データを平文化するための鍵情報を獲得する際に必要な当該暗号化データより成るコンテンツ固有のコンテンツＩＤを記録し、
当該記録再生装置固有の装置ＩＤを備え、
前記信号処理部が前記コンテンツＩＤを読み出すとともに、前記装置ＩＤ及び前記コンテンツＩＤを出力することを特徴とする請求項７又は請求項８に記載の記録再生装置。
【請求項１１】
前記暗号処理部で前記暗号化データが平文化されると、前記信号処理部が元の前記暗号化データを前記第２記録領域から削除し前記第３記録領域とすることを特徴とする請求項７〜請求項１０のいずれかに記載の記録再生装置。
【請求項１２】
前記第２管理システムにおけるデータの管理を行う外部の端末装置と接続して通信を行う外部インターフェースを備え、
前記外部の端末装置より前記記録媒体の再生が要求されたとき、前記信号処理部で読み出された前記第２記録領域に記録されたデータを前記外部インターフェースを通じて前記外部の端末装置に送出することを特徴とする請求項７〜請求項１１のいずれかに記載の記録再生装置。
【請求項１３】
前記外部の端末装置より前記記録媒体の記録が要求されたとき、前記外部インターフェースを通じて前記外部の端末装置から送出されるデータを前記信号処理部によって前記第３記録領域に書き込むことで前記第２記録領域を前記記録媒体に生成することを特徴とする請求項１２に記載の記録再生装置。
【請求項１４】
前記外部の端末装置によって得られた前記暗号化データを平文化する鍵情報が前記外部インターフェースを通じて前記暗号化処理部に送出されることを特徴とする請求項１２又は請求項１３に記載の記録再生装置。
【請求項１５】
暗号化データによるコンテンツの配布するコンテンツ配布システムにおいて、
データを記録する単位記録領域を備え、記録する各コンテンツを構成するデータを当該データが記録された前記単位記録領域のアドレスによって管理するとともに、前記データを前記単位記録領域のアドレスによって管理する管理システムとして、第１管理システム及び第２管理システムを採用し、前記単位記録領域が、前記第１管理システム及び前記第２管理システムそれぞれで管理される第１記録領域及び第２記録領域と、データの記録されていない第３記録領域とから構成され、前記第２記録領域の一部又は全部に前記暗号化データを格納した記録媒体と、
当該記録媒体のデータの読み出し及び書き込みを行う当該記録媒体専用の記録再生装置とによってなり、
前記記録媒体において、平文化された前記暗号化データが前記第１管理システムで管理されるデータとして前記第３記録領域に記録されて前記第１記録領域が生成されることを特徴とするコンテンツ配布システム。
【請求項１６】
前記記録再生装置が前記第１記録領域のデータによるコンテンツのみを再生することを特徴とする請求項１５に記載のコンテンツ配布システム。
【請求項１７】
前記記録再生装置が前記第２管理システムによってデータ管理を行う外部の端末装置と通信接続し、
当該外部の端末装置が前記記録媒体の前記第２記録領域及び第３記録領域にのみアクセスでき、前記第１記録領域へのアクセスが禁止されることを特徴とする請求項１５又は請求項１６に記載のコンテンツ配布システム。
【請求項１８】
前記暗号化データを平文化する鍵情報を管理するサーバを備え、前記サーバから得られた前記鍵情報に基づいて前記暗号化データが平文化されることを特徴とする請求項１５〜請求項１７のいずれかに記載のコンテンツ配布システム。
【請求項１９】
前記記録媒体が、前記暗号化データを平文化するための鍵情報を獲得する際に必要な当該暗号化データより成るコンテンツ固有のコンテンツＩＤ及び当該記録媒体固有のメディアＩＤを記録し、
前記サーバが前記コンテンツＩＤ及び前記メディアＩＤを受信すると、該コンテンツＩＤ及び該メディアＩＤに基づいて前記鍵情報を生成して送信することを特徴とする請求項１８に記載のコンテンツ配布システム。
【請求項２０】
前記記録媒体が、前記暗号化データを平文化するための鍵情報を獲得する際に必要な当該暗号化データより成るコンテンツ固有のコンテンツＩＤを記録し、
前記記録再生装置が、当該装置固有の装置ＩＤを記録し、
前記サーバが前記コンテンツＩＤ及び前記装置ＩＤを受信すると、該コンテンツＩＤ及び該装置ＩＤに基づいて前記鍵情報を生成して送信することを特徴とする請求項１８に記載のコンテンツ配布システム。
【請求項２１】
前記記録再生装置が暗号化データの平文化を行うことを特徴とする請求項１５〜請求項２０のいずれかに記載のコンテンツ配布システム。
【請求項２２】
前記記録媒体が暗号化データの平文化を行うことを特徴とする請求項１５〜請求項２０のいずれかに記載のコンテンツ配布システム。
【発明の詳細な説明】
【０００１】
【発明の属する技術分野】
本発明は、音楽や映像などの著作権保護されるべきコンテンツを扱う記録媒体や記録再生装置、又、これらのコンテンツを配布するコンテンツ配布システムに関する。
【０００２】
【従来の技術】
近年、音楽や映画などのコンテンツのアナログ情報をデジタル情報化して、記録、再生する様々な装置が開発されている。又、記録媒体の有効利用のために、多くの情報圧縮の手法も規格化、又は提案されている。更に、このアナログ情報のデジタル情報化や情報圧縮方法の規格化やネットワークの普及に伴い、有線や無線でコンテンツの情報をダウンロードすることもできるようになっている。又、デジタル情報化により情報のコピーが容易となるため、コンテンツの情報を販売するための自動販売機システムも提案されている。
【０００３】
このようにネットワークや自動販売機システムなどを利用したコンテンツの情報のダウンロードが行われるとき、その著作権保護の問題が注目される。特に、インターネットを利用したコンテンツの配信システムにおいては、配信するコンテンツの情報を暗号化して、コンテンツの著作権保護が成されている。このようにインターネットによるコンテンツの配信システムにおいて著作権保護を実現するために、暗号化されたコンテンツを配信した後、このコンテンツの暗号化を解除する（平文化する）ための解除キーを配信する際に課金するシステムなどが利用され、コンテンツの著作権に対する対価が払われるようなシステムが実現されている。更に、配信システムなどを用いて得られたコンテンツが、その著作権を保護するためのある制限のもとにコンテンツの再生装置などに転送されて、この再生装置で再生されるようなシステムも実現されている。
【０００４】
又、コンテンツのデータが記録される記録媒体については、その多くが、ＦＡＴ（File Allocation Table）管理型のファイルシステムを利用している。このような記録媒体において、保護するデータを暗号化するとともにメディアＩＤとともに記録するものがある。このメディアＩＤを記録した記録媒体の再生装置は、所定の鍵信号を備え、この鍵信号とメディアＩＤより記録媒体内に記録された保護するデータを平文化するためのコンテンツＩＤを生成し、このコンテンツＩＤによりデータを平文化して再生する。このように、メディアＩＤを備えることによって記録媒体を特定の再生装置でのみ再生できるようにし、記録媒体内のコンテンツの著作権を保護している。
【０００５】
上述のＦＡＴ管理型のファイルシステムについて、図１２を参照して簡単に説明する。このＦＡＴ管理型のファイルシステムを用いてデータを記録する場合、クラスタがデータの単位記録領域とされ、１つのコンテンツを表すファイル毎に記録された領域を管理するためのディレクトリエントリＤｅ及びＦＡＴエントリＦｅが生成される。そして、ディレクトリエントリＤｅには、ファイル毎にファイル属性と記録開始クラスタが記録され、又、ＦＡＴエントリＦｅには、各クラスタ毎の記録状態が記録される。
【０００６】
このとき、ＦＡＴエントリＦｅにおいて、そのクラスタに記録された同一ファイルの次のデータが記録されたクラスタ（リンク先となるクラスタ）が有る場合は、リンク先となるクラスタのアドレスが記録され、リンク先となるクラスタがない場合、そのファイルの最終のクラスタであること（図１２の場合「FFFF」）が記録される。又、クラスタがデータの記録されていない空きクラスタであること（図１２の場合「0000」）や、クラスタに記録されたデータに欠陥がある欠陥クラスタであること（図１２の場合「FFF7」）もＦＡＴエントリＦｅにおいて記録される。
【０００７】
又、このようなＦＡＴ管理型のファイルシステムでなく、スタートアンドエンドアドレス管理型のファイルシステムを利用してデータを記録する記録媒体もある。このような記録媒体を扱う装置は、パーソナルコンピュータなどのＦＡＴ管理型のファイルシステムによる装置と接続されることがない。又、このような記録媒体に記録されたデータは、原版となる記録媒体から第１世代にのみ複製可能と設定されている。そのため、記録された圧縮データなどに対して暗号化を行う必要がなく、平文のまま記録媒体に記録されている。
【０００８】
上述のスタートアンドエンドアドレス管理型のファイルシステムについて、図１３を参照して簡単に説明する。このスタートアンドエンドアドレス管理型のファイルシステムを用いてデータを記録する場合、セクタがデータの単位記録領域とされ、１つのコンテンツを表すトラック毎に記録された領域を管理するためのトラック管理テーブルＴｔ及びスタートアンドエンドアドレス管理テーブルＡｔが生成される。
【０００９】
そして、トラック管理テーブルＴｔ及びスタートアンドエンドアドレス管理テーブルＡｔでは、複数セクタより成るパーツ毎に管理される。このとき、トラック管理テーブルＴｔには、トラック毎に記録開始パーツを示すポインタが記録され、又、スタートアンドエンドアドレス管理テーブルＡｔには、各パーツ毎に、そのパーツを構成するセクタの開始アドレス及び終了アドレスとパーツの記録状態が記録される。
【００１０】
即ち、スタートアンドエンドアドレス管理テーブルＡｔでは、同一トラックの次に続くパーツ（リンク先となるパーツ）がある場合、リンク先となるパーツのポインタを記録状態として記録し、又、リンク先となるパーツがない場合、そのトラックの最終のパーツであること（図１３の場合「end」）が記録される。又、トラック管理テーブルＴｔにおいて、データの格納されていない空き領域を１つのトラックとして扱うとともに、空き状態であることを記録する。
【００１１】
又、従来の技術として、記録媒体内にコンテンツの１つが暗号化されて課金情報とともに記録され、この暗号化されたコンテンツを平文化して再生又は別の記録媒体に記録するためにネットワークを通じて暗号鍵を受信するとともに、課金情報を送信して課金されるコンテンツ流通システムが提案されている（特許文献１参照）。
【００１２】
即ち、この流通システムでは、記録媒体内に平文化されたコンテンツ以外に暗号化されたコンテンツが課金情報とともに記録される。そして、この暗号化されたコンテンツの再生及び別の記録媒体への記録が所望されたとき、ネットワークを通じて、暗号化されたコンテンツの情報と課金情報が送信されて、所望したユーザに課金した後、暗号鍵が受信される。よって、この受信した暗号鍵によって暗号化されたコンテンツが平文化され、再生又は別の記録媒体への記録が成される。
【００１３】
【特許文献１】
特開２０００−１９６５８５号公報
【００１４】
【発明が解決しようとする課題】
このように、コンテンツを配布するために、記録媒体や通信媒体による様々なシステムが利用されている。しかしながら、パーソナルコンピュータなどの端末装置で採用されているオペレーティングシステムやこのオペレーティングシステムに使用されているファイルシステムに、著作権を保護するための規格がない。そのため、インターネットや自動販売機システムなどで取得されたコンテンツの著作権の保護は、オペレーティングシステムの上位層となるアプリケーション層によって実現されている。
【００１５】
このことより、著作権を保護するデータが改ざんされる可能性が大きくなり、この改ざんを防ぐために、アプリケーション層において複雑な暗号化及び平文化の処理が必要となり、システムに大きな負担がかかってしまう。即ち、このように著作権などで保護されて取り扱いに制限のあるデータが扱われるとき、多くの認証のための作業を行う必要があるため、ユーザに多大な不便を強いているという課題がある。
【００１６】
又、このようなデータを取り扱うアプリケーションは、オペレーションシステムに最適化されて作られているので、オペレーションシステムの変更などがあった場合、変更されたオペレーションシステムに対応するようにアプリケーションの変更を行う必要がある。このとき更に、このデータによるコンテンツの記録再生装置のファームウェアやインターフェースに関わるハードウェアを変更しなければならない場合もある。
【００１７】
又、著作権などで保護されたデータを記録した記録媒体を扱う場合、上述のように記録媒体にメディアＩＤを記録するとともに、この記録媒体の再生装置に専用の鍵信号を備えた制御回路を備える必要がある。そして、記録媒体を再生するたびに、複雑な平文化処理を行う必要があり、その分の消費電力が増大する。又、記録媒体に記録する際には、複雑な暗号化を行わなければならない。
【００１８】
又、上述のＦＡＴ管理型のファイルシステム及びスタートアンドエンドアドレス管理型のファイルシステムは、お互いに互換性がなく、共存したシステムではなかった。そのため、スタートアンドエンドアドレス管理型のファイルシステムによってコンテンツのデータを記録した記録媒体は、ＦＡＴ管理型のファイルシステムによってデータ処理を行う装置との親和性が悪い。よって、スタートアンドエンドアドレス管理型の記録媒体に記録されたコンテンツをパーソナルコンピュータなどで簡単に複製されることから保護することができるが、その反面、ＦＡＴ管理型の装置によって扱うことが困難であるという問題も生じる。
【００１９】
更に、特許文献１の流通システムでは、暗号化されたコンテンツを再生又は記録する度に、平文化するための鍵信号を必要とする。この平文化するための鍵信号は、ネットワークを通じて課金センタから獲得する必要がある。そして、課金された額によって鍵信号が与えられて、課金センタと通信することなく再生可能となった場合においても、この鍵信号は再生可能とした再生装置に与えられたものであり、ユーザ個人に与えられたものではない。よって、同一ユーザが異なる再生装置で再生しようとしても、再び、課金センタと通信して鍵信号を獲得する必要がある。
【００２０】
又、コンテンツを記録する際、平文化して記録することが可能であるが、元の記録媒体に記録されるのではなく、平文化されたコンテンツのデータが記録される別の記録媒体が必要となる。更に、鍵信号が記録装置に与えられて格納された場合、元の記録媒体より複製された第１世代の記録媒体からの複製を禁止することで第２世代の記録媒体への記録を禁止したとしても、元の記録媒体から不特定多数の記録媒体を記録することができるため、完全に著作権を保護することは不可能である。
【００２１】
このような問題を鑑みて、本発明は、コンテンツを構成するデータを管理する複数の管理システム間において互換性を与えるとともに各コンテンツの著作権を保護することができる記録媒体及び記録再生装置及びコンテンツ配布システムを提供することを目的とする。
【００２２】
【課題を解決するための手段】
上記目的を達成するために本発明の記録媒体は、データを記録する単位記録領域を備え、記録する各コンテンツを構成するデータを当該データが記録された前記単位記録領域のアドレスによって管理する記録媒体において、前記データを前記単位記録領域のアドレスによって管理する管理システムとして、第１管理システム及び第２管理システムを採用し、前記単位記録領域が、前記第１管理システム及び前記第２管理システムそれぞれで管理される第１記録領域及び第２記録領域と、データの記録されていない第３記録領域とから構成され、前記第１記録領域及び前記第３記録領域が前記第１管理システムによって管理されるとともに、前記第２記録領域及び前記第３記録領域が前記第２管理システムによって管理され、前記第２記録領域の一部又は全部に暗号化データが格納され、当該暗号化データが平文化されたデータが前記第１管理システムによるデータに変換されて前記第３記録領域に記録され前記第１記録領域を生成することを特徴とする。
【００２３】
この構成によると、第１管理システムで動作する記録再生装置は、第１記録領域及び第３記録領域にしかアクセスすることができない。又、第２管理システムで動作する記録再生装置は、第２記録領域及び第３記録領域にしかアクセスすることができない。よって、平文化された暗号化データは第１管理システムによるデータとなって第１記録領域に記録されるデータとなるため、第２管理システムによる記録再生装置で再生することが不可能となる。
【００２４】
このような記録媒体において、前記単位記録領域全ての状態を管理する第１管理テーブルと、前記第１記録領域及び前記第３記録領域を前記第１管理システムによって管理するための第２管理テーブルと、前記第２記録領域及び前記第３記録領域を前記第２管理システムによって管理するための第３管理テーブルと、を備える。
【００２５】
このとき、前記第１管理テーブル及び前記第３管理テーブルから前記第２管理システム用の仮想管理テーブルである第４管理テーブルが生成され、前記第２管理システムでデータを取り扱う装置に当該第４管理テーブルのみが送出されるようにすることで、第２管理システムで動作する装置が暗号化されていない記録媒体内の第１管理システムで管理されるデータへのアクセスを防ぐことができる。又、暗号化データが平文化されたデータが第１管理システムで管理されるデータであるため、第２管理システムで動作する装置によって平文化されたデータが再生されることを防ぐことができる。
【００２６】
又、前記暗号化データを平文化した後に、元の前記暗号化データを削除するようにしても構わない。又、前記暗号化データを平文化する回数を設定し、所定回数平文化されたことが確認されると、元の前記暗号化データを削除するようにしても構わない。
【００２７】
又、前記暗号化データを平文化するための鍵情報を獲得する際に必要な当該暗号化データより成るコンテンツ固有のコンテンツＩＤ及び当該記録媒体固有のメディアＩＤを記録するようにしても構わない。このとき、このコンテンツＩＤ及びメディアＩＤが鍵情報を発行するサーバなどに与えられることによって、コンテンツＩＤ及びメディアＩＤによる鍵情報が発行され、この鍵情報を得ることができる。このとき、記録した各管理テーブルをメディアＩＤによって暗号化するようにしても構わない。又、平文化処理を行うたびにメディアＩＤを更新するようにしても構わない。
【００２８】
又、前記暗号化データを平文化する暗号処理部を備えるようにしても構わない。又、仮想管理テーブルである第４管理テーブルを生成する信号処理部を備えるようにしても構わない。このような記録媒体として、メモリカードを用いても構わない。
【００２９】
上述のような各構成の記録媒体は、当該記録媒体専用の記録再生装置によって暗号化データの平文化が行われるようにしても構わないし、当該記録再生装置を介して鍵情報が入力されるようにしても構わない。又、当該記録再生装置を介することによって、第２管理システムでデータ管理を行う装置が第２記録領域及び第３記録領域へのアクセス可能となる。
【００３０】
更に、このような記録媒体を扱う記録再生装置として、本発明の記録再生装置は、データを記録する単位記録領域を備え、記録する各コンテンツを構成するデータを当該データが記録された前記単位記録領域のアドレスによって管理するとともに、前記データを前記単位記録領域のアドレスによって管理する管理システムとして、第１管理システム及び第２管理システムを採用し、前記単位記録領域が、前記第１管理システム及び前記第２管理システムそれぞれで管理される第１記録領域及び第２記録領域と、データの記録されていない第３記録領域とから構成され、前記第２記録領域の一部又は全部に暗号化データを格納した記録媒体の読み出し及び書き込みを行う記録再生装置であり、前記第１記録領域から読み出したデータを復号化する復号化部と、記録するコンテンツのデータを符号化する符号化部と、前記第２記録領域内の前記暗号化データを平文化する暗号処理部と、前記第１記録領域及び前記第２記録領域内のデータをそれぞれ前記第１管理システム及び前記第２管理システムに従って読み出し、前記符号化部で符号化されたデータ及び前記暗号処理部で平文化されたデータを前記第１管理システムに従って書き込む信号処理部と、を備え、前記第１管理システムに従ってデータを前記記録媒体の前記第３記録領域に書き込むことで、前記記録媒体に第１記録領域を生成することを特徴とする。
【００３１】
このような記録再生装置において、前記記録媒体が、前記単位記録領域全ての状態を管理する第１管理テーブルと、前記第１記録領域及び前記第３記録領域を前記第１管理システムによって管理するための第２管理テーブルと、前記第２記録領域及び前記第３記録領域を前記第２管理システムによって管理するための第３管理テーブルと、を備え、前記第１〜第３管理テーブルが与えられ、前記第１管理テーブル及び前記第３管理テーブルから前記第２管理システム用の仮想管理テーブルである第４管理テーブルを生成するとともに、前記第２管理テーブル及び前記第４管理テーブルを記録し、前記第２管理テーブルによって前記第１管理システムにおけるデータ管理を行うとともに前記第４管理テーブルによって前記第２管理システムにおけるデータ管理を行う。
【００３２】
このとき、記録再生装置は、記録媒体への第１管理システムによるデータの記録を終了すると、前記第１管理テーブル及び前記第２管理テーブルを読み出して書き換える。又、記録媒体への第２管理システムによるデータの記録を終了すると、前記第１管理テーブル及び前記第３管理テーブルを読み出して書き換えた後に、第４管理テーブルを作成し直す。
【００３３】
又、前記記録媒体が、前記暗号化データを平文化するための鍵情報を獲得する際に必要な当該暗号化データより成るコンテンツ固有のコンテンツＩＤ及び当該記録媒体固有のメディアＩＤを記録し、前記信号処理部が該コンテンツＩＤ及び該メディアＩＤを読み出すとともに、出力する。このとき、このコンテンツＩＤ及びメディアＩＤを出力表示し、ユーザに確認させるようにしても構わない。このようにすることで、ユーザがコンテンツＩＤ及びメディアＩＤを確認して、端末装置などを利用して鍵情報を管理するサーバに送信すると、サーバで記録媒体とコンテンツが確認されて鍵情報が生成されて送信される。
【００３４】
又、前記記録媒体が、前記暗号化データを平文化するための鍵情報を獲得する際に必要な当該暗号化データより成るコンテンツ固有のコンテンツＩＤを記録し、当該記録再生装置固有の装置ＩＤを備え、前記信号処理部が前記コンテンツＩＤを読み出すとともに、前記装置ＩＤ及び前記コンテンツＩＤを出力するようにしても構わない。このようにすることで、鍵情報を管理するサーバが、記録再生装置毎に平文化したコンテンツや平文化した回数などを管理することができる。
【００３５】
上述の記録再生装置において、前記暗号処理部で前記暗号化データが平文化されると、前記信号処理部が元の前記暗号化データを前記第２記録領域から削除し前記第３記録領域とするようにしても構わない。又、平文化された回数が所定回数を超えたときに、元の暗号化データを削除するようにしても構わない。
【００３６】
又、前記第２管理システムにおけるデータの管理を行う外部の端末装置と接続して通信を行う外部インターフェースを備え、前記外部の端末装置より前記記録媒体の再生が要求されたとき、前記信号処理部で読み出された前記第２記録領域に記録されたデータを前記外部インターフェースを通じて前記外部の端末装置に送出する。更に、前記外部の端末装置より前記記録媒体の記録が要求されたとき、前記外部インターフェースを通じて前記外部の端末装置から送出されるデータを前記信号処理部によって前記第３記録領域に書き込むことで前記第２記録領域を前記記録媒体に生成する。
【００３７】
この記録再生装置において、前記外部の端末装置によって得られた前記暗号化データを平文化する鍵情報が前記外部インターフェースを通じて前記暗号化処理部に送出される。このとき、又、鍵情報を管理するサーバと通信可能な端末装置にコンテンツＩＤとメディアＩＤ又は端末ＩＤとを送信出力するようにしても構わない。よって、端末装置を介してコンテンツＩＤとメディアＩＤ又は端末ＩＤとがサーバに送信される。これらのＩＤにより記録再生装置が直接鍵情報を生成して、平文化するようにしても構わない。
【００３８】
又、本発明のコンテンツ配布システムは、暗号化データによるコンテンツの配布するコンテンツ配布システムにおいて、データを記録する単位記録領域を備え、記録する各コンテンツを構成するデータを当該データが記録された前記単位記録領域のアドレスによって管理するとともに、前記データを前記単位記録領域のアドレスによって管理する管理システムとして、第１管理システム及び第２管理システムを採用し、前記単位記録領域が、前記第１管理システム及び前記第２管理システムそれぞれで管理される第１記録領域及び第２記録領域と、データの記録されていない第３記録領域とから構成され、前記第２記録領域の一部又は全部に前記暗号化データを格納した記録媒体と、当該記録媒体のデータの読み出し及び書き込みを行う当該記録媒体専用の記録再生装置とによってなり、前記記録媒体において、平文化された前記暗号化データが前記第１管理システムで管理されるデータとして前記第３記録領域に記録されて前記第１記録領域が生成されることを特徴とする。
【００３９】
又、このとき、前記記録再生装置が前記第１記録領域のデータによるコンテンツのみを再生する。又、前記記録再生装置が前記第２管理システムによってデータ管理を行う外部の端末装置と通信接続し、当該外部の端末装置が前記記録媒体の前記第２記録領域及び第３記録領域にのみアクセスでき、前記第１記録領域へのアクセスが禁止される。
【００４０】
更に、前記暗号化データを平文化する鍵情報を管理するサーバを備え、前記サーバから得られた前記鍵情報に基づいて前記暗号化データが平文化されるようにしても構わない。このとき、前記記録媒体が、前記暗号化データを平文化するための鍵情報を獲得する際に必要な当該暗号化データより成るコンテンツ固有のコンテンツＩＤ及び当該記録媒体固有のメディアＩＤを記録し、前記サーバが前記コンテンツＩＤ及び前記メディアＩＤを受信すると、該コンテンツＩＤ及び該メディアＩＤに基づいて前記鍵情報を生成して送信する。
【００４１】
又、記録媒体が、前記暗号化データを平文化するための鍵情報を獲得する際に必要な当該暗号化データより成る当該コンテンツ固有のコンテンツＩＤを記録し、前記記録再生装置が、当該装置固有の装置ＩＤを記録し、前記サーバが前記コンテンツＩＤ及び前記装置ＩＤを受信すると、該コンテンツＩＤ及び該装置ＩＤに基づいて前記鍵情報を生成して送信する。更に、ユーザ毎に与えられたユーザＩＤとコンテンツＩＤとに基づいて鍵情報が生成されるようにしても構わない。
【００４２】
又、記録再生装置がサーバの役割を備え、鍵情報を生成するようにしても構わない。又、このように鍵情報を生成するサーバ及び記録再生装置において、課金処理が行われるようにしても構わない。
【００４３】
更に、前記記録再生装置が暗号化データの平文化を行うようにしても構わないし、前記記録媒体が暗号化データの平文化を行うようにしても構わない。
【００４４】
又、外部の端末装置に記録された暗号化データを平文化する際、この暗号化データが記録再生装置を通じて平文化されるとともに、平文化されたデータが第１記録領域のデータとして記録媒体に記録される。このとき、コンテンツＩＤとともに装置ＩＤ又はユーザＩＤがサーバに与えられることで、平文化された回数などの管理を行うことができ、著作権を保護することができる。
【００４５】
【発明の実施の形態】
本発明の実施形態について、図面を参照して説明する。図１は、本実施形態の記録再生装置の内部構成を示すブロック図である。
【００４６】
１．記録再生装置の構成
図１の記録再生装置は、データの読み出し及び書き込みが可能な記録媒体として光磁気ディスク１を扱う装置である。この記録再生装置は、記録再生動作を行う機構として、光磁気ディスク１にデータを書き込むための磁気ヘッド２と、光磁気ディスク１にレーザ光を照射する光ピックアップ３と、光磁気ディスク１を周方向に移動させるスピンドルモータ４と、磁気ヘッド２及び光ピックアップ３を径方向に移動させるスレッドモータ５と、磁気ヘッド２を昇降する昇降モータ６とを備える。
【００４７】
このように機械的な機構が構成されるとき、磁気ヘッド２は、ヘッドドライバ７からの信号が与えられて発生する磁界方向が決定されるとともに、記録時に光磁気ディスク１に近接するように昇降モータ５によって移動され、記録時以外は、光磁気ディスク１から離れた位置に位置するように昇降モータ５によって移動される。又、光ピックアップ３は、ヘッドドライバ７によって記録時と再生時それぞれのレーザ光の強さが設定されるとともに、光磁気ディスク１からの反射光から得られる各種信号をＲＦ処理部８に送出する。又、スピンドルモータ４、スレッドモータ５、及び昇降モータ６はそれぞれ、スピンドルドライバ９、ＰＷＭ（Pulse Width Modulation）ドライバ１０、及び昇降モータドライバ１１によって駆動される。
【００４８】
このように、機械的な機構を直接駆動させるドライバが設けられるとき、ヘッドドライバ７には、信号処理部１５で得られた記録用のデータが与えられる。又、ＲＦ処理部８で得られた各種信号がデジタルＲＦ処理部１２でデジタルデータ化された後、信号処理部１５でトラッキングエラー信号やフォーカスエラー信号やデータ信号などの各信号毎に処理される。又、デジタルサーボ１３より信号処理部１５で得られたトラッキングエラー信号やフォーカスエラー信号に基づく駆動信号がスピンドルドライバ９及びＰＷＭドライバ１０に信号が与えられて、スピンドルモータ４及びスレッドモータ５が駆動する。又、システムマイコン２１から入力部２３から記録の開始及び停止が指示されたことを示す信号が昇降モータドライバ１１に与えられて、昇降モータ６が駆動する。
【００４９】
更に、信号処理回路１５で得られたデータ信号は復号化回路１９で復号化された後、ＤＡコンバータ２５によってアナログデータに変更される。又、外部から入力されたアナログデータがＡＤコンバータ２６によってデジタルデータに変換された後、符号化回路２０によって符号化されて信号処理部１５に与えられる。又、信号処理部１５で得られた暗号化されたデータは、暗号処理部１７で平文化される。そして、デジタルＲＦ処理部１２、デジタルサーボ１３、信号処理部１５、暗号化処理部１７、復号化回路１９、及び符号化回路２０によってシステムＬＳＩが形成される。
【００５０】
このシステムＬＳＩには、システムマイコン２１と信号のやりとりを行うためのマイコンインターフェース（Ｉ／Ｆ）１４と、各回路ブロックへ動作指示を与える内部Ｉ／Ｆコマンド変換部１６と、パーソナルコンピュータなどの端末装置２７と接続される外部Ｉ／Ｆ１８とが設けられる。又、システムマイコン２１は表示部２２や入力部２３と接続される。更に、ワークＲＡＭ２４を備え、システムＬＳＩで処理されるデータなどが一時的に保持される。
【００５１】
このような構成の記録再生装置において、ＡＤコンバータ２６を通じて光磁気ディスク１に記録されるデータは、スタートアンドエンドアドレス管理型のファイルシステムに応じて記録され、又、端末装置２７などを通じて光磁気ディスク１に記録されるデータは、ＦＡＴ管理型のファイルシステムに応じて記録される。
【００５２】
２．光磁気ディスク内の管理テーブル
光磁気ディスク１には、ディスク内に記録されたコンテンツのデータ構造を示すための管理テーブルが、コンテンツのデータとともに記録される。又、この光磁気ディスク１は、スタートアンドエンドアドレス管理型のファイルシステムによる記録媒体に基づくものであるとともに、ＦＡＴ管理型のファイルシステムとの互換性をも有するものである。よって、従来のスタートアンドエンドアドレス管理型のファイルシステムで利用されるスタートアンドエンドアドレス管理テーブルとトラック管理テーブルとを備える。更に、ＦＡＴ管理型のファイルシステムとの互換に必要なテーブルを、従来の予約領域などのスタートアンドエンドアドレス管理型のファイルシステムに影響を与えない領域に記録する。
【００５３】
よって、光磁気ディスク１には、図２のように、スタートアンドエンドアドレス管理型のファイルシステムを実現するためのトラック管理テーブルＴ１及びスタートアンドエンドアドレスＴ２と、ＦＡＴ管理型のファイルシステムとの互換性を実現するためのオリジナル管理テーブルＴ３及びオリジナルディレクトリ管理テーブルＴ４とが格納される。又、光磁気ディスク１に記録されるデータは単位記録領域毎に管理される。尚、この単位記録領域は、上述したセクタ又はクラスタに相当するものである。
【００５４】
このとき、トラック管理テーブルＴ１には、空きトラックを含むトラック毎のコンテンツの開始パーツを示すポインタが格納される。スタートアンドエンドアドレス管理テーブルＴ２には、連続した単位記録領域より成る各パーツ毎に、その単位記録領域の開始アドレス及び終了アドレスと、リンク先となるパーツを表すポインタ又はコンテンツ最後のパーツであることを表す終了フラグとが格納される。
【００５５】
オリジナル管理テーブルＴ３は、単位記録領域毎に、空き記録領域であること又はＦＡＴ管理型によるものであること又はスタートアンドエンドアドレス管理型によるものであること又は不良記録領域であることを示す属性フラグと、リンク先となる単位記録領域を表すポインタ又はデータやパーツ最後の単位記録領域であることを表す終了フラグとが格納される。オリジナルディレクトリ管理テーブルＴ４には、ファイル毎のコンテンツを構成する単位記録領域の開始アドレスを示すポインタが格納される。
【００５６】
又、オリジナル管理テーブルＴ３において、属性フラグ「０」が空き記録領域であることを、属性フラグ「１」がスタートアンドエンドアドレス管理型によるものであることを、属性フラグ「２」がＦＡＴ管理型によるものであることを、属性フラグ「３」が不良記録領域であることをそれぞれ示し、「END」が終了フラグを示す。又、スタートアンドエンドアドレス管理テーブルＴ２において、「end」が終了フラグを示す。
【００５７】
又、スタートアンドエンドアドレス管理テーブルＴ２では、属性フラグが「０」及び「１」となる単位記録領域によって構成されるパーツが管理される。又、オリジナルディレクトリ管理テーブルＴ３では、属性フラグが「２」となる単位記録領域によって構成されるファイルが管理される。
【００５８】
このように、トラック管理テーブルＴ１、スタートアンドエンドアドレス管理テーブルＴ２、オリジナル管理テーブルＴ３、及びオリジナルディレクトリ管理テーブルＴ４を格納しているとき、図１の記録再生装置でスタートアンドエンドアドレス管理型のコンテンツのデータが読み出される場合、トラック管理テーブルＴ１及びスタートアンドエンドアドレス管理テーブルＴ２が参照されて、データの読み出しが行われる。
【００５９】
又、図１の記録再生装置でＦＡＴ管理型のコンテンツのデータが読み出される場合、まず、オリジナル管理テーブルＴ３、及びオリジナルディレクトリ管理テーブルＴ４よりＦＡＴ管理用の各種テーブルが信号処理部１５で仮想的に構成されて、ワークＲＡＭ２４に記録される。そして、この仮想的に構成されたＦＡＴ管理用の各種テーブルが参照されて、データの読み出しが行われる。
【００６０】
このように各管理テーブルＴ１〜Ｔ４を記録するとともにスタートアンドエンドアドレス管理型及びＦＡＴ管理型のファイルシステムによるコンテンツが記録された光磁気ディスク１が図１の記録再生装置に載置されると、スピンドルドライバ９及びＰＷＭドライバ１０がスピンドルモータ４及びスレッドモータ５を駆動して、図２の各管理テーブルＴ１〜Ｔ４が格納された領域にレーザ光が照射される位置に光ピックアップ３が移動される。
【００６１】
そして、ヘッドドライバ７によって光ピックアップ３が読み出し用のレーザ光を照射するように制御されると、その反射光が光りピックアップ３に入射され、管理テーブルＴ１〜Ｔ４それぞれのデータがＲＦ処理部８及びデジタルＲＦ処理部１２を介して信号処理回路１５に与えられる。このとき、ＲＦ処理部８において光磁気ディスク１のウォルブによるウォルブ信号やトラッキングエラー信号及びフォーカスエラー信号が得られる。これらの信号がデジタルＲＦ処理部１２を介して信号処理回路１５に与えられる。そして、ウォルブ信号から現在のトラッキング位置を確認するとともに、目的のトラッキング位置に最適な照射範囲のレーザ光を照射するようにスピンドルモータ４及びスレッドモータ５を駆動させるよう、トラッキングエラー信号及びフォーカスエラー信号をデジタルサーボ１３に与える。
【００６２】
よって、デジタルサーボ１３では、信号処理回路１５より与えられたトラッキングエラー信号及びフォーカスエラー信号に基づく信号をスピンドルドライバ９及びＰＷＭドライバ１０に与える。そして、スピンドルドライバ９及びＰＷＭドライバ１０がデジタルサーボ１０からの信号に基づいてスピンドルモータ４及びスレッドモータ５を駆動させて、トラッキング制御及びフォーカスエラー制御を行う。尚、再生時又は記録時に、コンテンツのデータを読み出す又は書き込む際に、目的のトラッキング位置に最適な照射範囲のレーザ光を照射するようにスピンドルモータ４及びスレッドモータ５を駆動させるときも、同様の動作を行う。
【００６３】
このようにして信号処理部１５より各管理テーブルＴ１〜Ｔ４が読み出されると、トラック管理テーブルＴ１及びスタートアンドエンドアドレス管理テーブルＴ２がワークＲＡＭ２４に与えられて一時的に記録される。又、後述するが、オリジナル管理テーブルＴ３及びオリジナルディレクトリ管理テーブルＴ４よりＦＡＴ管理型のファイルシステムを実現するための各管理テーブルが信号処理部１５で生成されて、この生成された管理テーブルがワークＲＡＭ２４に一時的に記録される。
【００６４】
このとき、管理テーブルＴ１〜Ｔ４より信号処理１５が光磁気ディスク１内に記録されたコンテンツを認識し、内部Ｉ／Ｆコマンド変換１６に与えると、マイコンＩ／Ｆ１４からシステムマイコン２１に与えられ、各コンテンツのコンテンツ名を表示するように表示部２２が制御される。又、暗号化されたコンテンツについては、暗号化されていることを示す表示が表示部２２になされる。
【００６５】
３．スタートアンドエンドアドレス管理型のファイルシステムを利用したとき
以下では、スタートアンドエンドアドレス管理型のファイルシステムによるコンテンツの再生及び記録が指示されたときの動作について、図２及び図３及び図４を参照して説明する。図２では、アドレスＡ３，Ａ４，Ａ７，Ａ１３の単位記録領域の属性フラグが０であり、アドレスＡ０〜Ａ２，Ａ８，Ａ１２の単位記録領域の属性フラグが１であり、アドレスＡ５，Ａ６，Ａ９，Ａ１０，Ａ１４，Ａ１５の単位記録領域の属性フラグが２であり、アドレスＡ１１の単位記録領域の属性フラグが３であるものとする。
【００６６】
まず、表示部２２に表示されたコンテンツからスタートアンドエンドアドレス管理型のファイルシステムによるコンテンツが選択されて再生するように入力部２３によって入力されると、システムマイコン２１より再生動作を行うように制御信号が出力される。この制御信号がマイコンＩ／Ｆ１４を介して内部Ｉ／Ｆコマンド変換部１６に与えられると、信号処理部１５がワークＲＡＭ２４内のトラック管理テーブルＴ１を確認し、目的のコンテンツのトラックが認識される。そして、トラックを構成する単位記録領域のアドレスがワークＲＡＭ２４内のスタートアンドエンドアドレス管理テーブルＴ２で認識される。
【００６７】
このとき、例えば、トラックｔ１のコンテンツの再生が指示されると、トラック管理テーブルＴ１よりスタートアンドエンドアドレス管理テーブルＴ２のパーツｐ３を表すポインタが認識される。よって、スタートアンドエンドアドレス管理テーブルＴ２のパーツｐ３が確認され、その開始アドレスＡ０及び終了アドレスＡ２が認識されるとともに、ポインタｐ４よりリンク先のパーツｐ４が認識される。そして、パーツｐ４が確認され、その開始アドレスＡ８及び終了アドレスＡ８が認識されるとともに、終了フラグendよりリンク先のパーツがないことが認識される。
【００６８】
よって、トラックｔ１のコンテンツのデータは、アドレスＡ０，Ａ１，Ａ２，Ａ８の順に単位記録領域に記録されていることが確認される。そのため、Ａ０→Ａ１→Ａ２→Ａ８の順にそのアドレス位置に光ピックアップ３からレーザ光が照射されるように、デジタルサーボ１３に信号が与えられ、スピンドルドライバ９及びＰＷＭドライバ１０がスピンドルモータ４及びスレッドモータ５を駆動させる。
【００６９】
そして、光磁気ディスク１からの反射光を光ピックアップ３が受光すると、各種信号が生成されて、ＲＦ処理部８及びデジタルＲＦ処理部１２を介して信号処理回路１５に送出される。信号処理回路１５よりコンテンツのデータとなるデータ信号が復号化回路１９で復号化された後、ＤＡコンバータ２５によりアナログ信号に変換されて出力される。
【００７０】
尚、パーツは連続した単位記録領域より構成されるため、トラックｔ１のように、コンテンツのデータがアドレスＡ０〜Ａ２，Ａ８の単位記録領域で構成された場合でも、アドレスＡ２，Ａ８の単位記録領域が連続していないため、アドレスＡ０〜Ａ２の単位記録領域によるパーツｐ３とアドレスＡ８の単位領域によるパーツｐ４とに分かれる。
【００７１】
又、トラックｔ２のコンテンツの再生が指示されたときは、まず、トラック管理テーブルＴ１よりパーツｐ５が確認される。そして、スタートアンドエンドアドレス管理テーブルＴ２よりパーツｐ５がアドレスＡ１２の単位記録領域で構成されるとともに終了フラグendよりリンク先がないことが認識され、アドレスＡ１２の単位記録領域にデータが格納されていることが確認される。
【００７２】
次に、音声や画像などによるコンテンツを記録するように入力部２３によって入力されると、システムマイコン２１より記録動作を行うように制御信号が出力される。この制御信号がマイコンＩ／Ｆ１４を介して内部Ｉ／Ｆコマンド変換部１６に与えられると、信号処理部１５がワークＲＡＭ２４内のトラック管理テーブルＴ１を確認し、空き状態のトラックが認識される。
【００７３】
このとき、トラック管理テーブルＴ１の空きトラックｔ０よりスタートアンドエンドアドレス管理テーブルＴ２のパーツｐ０を表すポインタが認識される。よって、スタートアンドエンドアドレス管理テーブルＴ２のパーツｐ０が確認され、その開始アドレスＡ３及び終了アドレスＡ４が認識されるとともに、ポインタｐ１よりリンク先のパーツｐ１が認識される。そして、パーツｐ１が確認され、その開始アドレスＡ７及び終了アドレスＡ７が認識されるとともに、ポインタｐ２よりリンク先のパーツｐ２が認識される。最後に、パーツｐ２が確認され、その開始アドレスＡ１３及び終了アドレスＡ１３が認識されるとともに、終了フラグendよりリンク先のパーツがないことが認識される。
【００７４】
よって、アドレスＡ３，Ａ４，Ａ７，Ａ１３の単位記録領域が空き状態であることが確認されるとともに、Ａ３→Ａ４→Ａ７→Ａ１３の順に単位記録領域にデータが記録されることが確認される。そして、音声又は映像などのアナログデータがＡＤコンバータ２６でデジタル変換された後、符号化回路２０で符号化される。そして、符号化されたデータが記録されるように、記録するデータが信号処理部１５からヘッドドライバ７に与えられて磁気ヘッド２が駆動される。又、光ピックアップ３から出力強度が再生時より大きいレーザ光を出射するように、光ピックアップ３がヘッドドライバ７に制御される。更に、モータ昇降ドライバ１１によってヘッド昇降モータ６が駆動されて、磁気ヘッド２がディスクに近接する位置に設置される。
【００７５】
このとき、Ａ３→Ａ４→Ａ７→Ａ１３の順に単位記録領域にデータが記録されるように、そのアドレス位置に光ピックアップ３からレーザ光が照射されるとともに磁気ヘッド２が位置するように、デジタルサーボ１３に信号が与えられ、スピンドルドライバ９及びＰＷＭドライバ１０がスピンドルモータ４及びスレッドモータ５を駆動させる。そして、光磁気ディスク１において、レーザ光が照査された単位記録領域が磁気ヘッド２によって磁化されて、光磁気ディスク１の空き状態の単位記録領域にデータが書き込まれる。
【００７６】
このようにして、空き状態の単位記録領域にデータが記録されるとき、例えば、アドレスＡ３，Ａ４の単位記録領域に記録されたものとする。このとき、信号処理回路１５は、図３のように、ワークＲＡＭ２４に格納されているスタートアンドエンドアドレス管理テーブルＴ２のパーツｐ０に対して、ポインタｐ１を削除して終了フラグendを格納する。又、ワークＲＡＭ２４に格納されているトラック管理テーブルＴ１に対して、空きトラックｔ０の開始パーツのポインタｐ１とするとともに、開始パーツのポインタｐ０となるトラックｔ３を新たに作成する。
【００７７】
更に、オリジナル管理テーブルＴ３が光磁気ディスク１から読み出されて、アドレスＡ３，Ａ４の単位記録領域の属性フラグを１とするとともに、アドレスＡ３の単位記録領域にリンク先のアドレスＡ４をポインタとして格納し、アドレスＡ４の単位記録領域に終了フラグENDを格納する。このようにして、トラック管理テーブルＴ１及びスタートアンドエンドアドレス管理テーブルＴ２及びオリジナル管理テーブルＴ３の設定を更新すると、更新した各管理テーブルＴ１〜Ｔ３を光磁気ディスク１に書き込むとともに、管理テーブルＴ１，Ｔ２のみをワークＲＡＭ２４に記録する。
【００７８】
又、例えば、アドレスＡ３の単位記録領域に記録されたものとする。このとき、図４のように、スタートアンドエンドアドレス管理テーブルＴ２は、パーツｐ０における開始アドレスがＡ３からＡ４に変更され、開始アドレスＡ３及び終了アドレスＡ３及び終了フラグendを備えたパーツｐ６が付加される。又、トラック管理テーブルＴ１は、ポインタｐ６を備えたトラックｔ３が付加される。更に、オリジナル管理テーブルＴ３が読み出されて、アドレスＡ３の単位記録領域の属性フラグを１とするとともに終了フラグENDを格納する。このように更新された管理テーブルＴ１〜Ｔ３は、光磁気ディスク１に書き込まれるとともに、管理テーブルＴ１，Ｔ２のみが再びワークＲＡＭ２４に記録される。
【００７９】
尚、図１の記録再生装置以外の従来の記録再生装置においても、光磁気ディスク１に対して記録再生を行うことができる。このとき、再生動作は、上述と同様の動作を行うことによって行われる。又、記録動作については、図１の記録再生装置と異なり、オリジナル管理テーブルＴ３の更新が行われない。よって、図１の記録再生装置以外の記録再生装置によって光磁気ディスク１にコンテンツが記録されたとき、この光磁気ディスク１が図１の記録再生装置に設置されて各管理テーブルＴ１〜Ｔ４が読み出される際、まず、トラック管理テーブルＴ１及びスタートアンドエンドアドレス管理テーブルＴ２によって確認される空き領域とオリジナル管理テーブルＴ３によって確認される空き領域とを比較する。
【００８０】
そして、トラック管理テーブルＴ１及びスタートアンドエンドアドレス管理テーブルＴ２によって空き領域でないことが確認されるとともにオリジナル管理テーブルＴ３によって空き領域と確認されたアドレスの単位記録領域の属性フラグを１とするとともに、この単位記録領域に対して同一のコンテンツを構成する単位記録領域の順番に従ってリンク先のポインタ又は終了フラグを記録する。
【００８１】
４．ＦＡＴ管理型のファイルシステムを利用したとき
以下では、ＦＡＴ管理型のファイルシステムによるコンテンツの指定及び記録が成されたときの動作について、図２及び図５及び図６を参照して説明する。
【００８２】
上述のように、オリジナル管理テーブルＴ３及びオリジナルディレクトリ管理テーブルＴ４が信号処理回路１５によって確認されると、オリジナルディレクトリ管理テーブルＴ４からファイルｆ１〜ｆ３が認識されるとともに、それぞれの開始アドレスがＡ５，Ａ１０，Ａ１４であることが認識される。更に、オリジナル管理テーブルＴ３より、ファイルｆ１がアドレスＡ５，Ａ６，Ａ９の順に並ぶ単位記録領域より構成され、ファイルｆ２がアドレスＡ１０の単位記録領域より構成され、ファイルｆ３がアドレスＡ１４，Ａ１５の順に並ぶ単位記録領域より構成され、アドレスＡ３，Ａ４，Ａ７，Ａ１３の単位記録領域が空き状態であり、アドレスＡ１１の単位記録領域が不良記録領域であることが認識される。
【００８３】
このようにファイルｆ１〜ｆ３及び空き記録領域及び不良記録領域が確認されると、信号処理部１５によって、図５のようなディレクトリ管理テーブルＴ５及びＦＡＴエントリ管理テーブルＴ６及び論理物理変換テーブルＴ７が形成される。
【００８４】
このとき、ＦＡＴエントリ管理テーブルＴ６では、ファイルｆ１の単位記録領域の仮想アドレスをａ０〜ａ２とし、ファイルｆ２の単位記録領域の仮想アドレスをａ３とし、ファイルｆ３の単位記録領域の仮想アドレスをａ４，ａ５とする。そして、仮想アドレスａ０〜ａ５の単位記録領域の属性フラグを２に、仮想アドレスａ６〜ａ８，ａ１０の単位記録領域の属性フラグを０に、仮想アドレスａ９の単位記録領域の属性フラグを３にする。又、仮想アドレスａ０，ａ１，ａ４の単位記録領域のリンク先を表すポインタをａ１，ａ２，ａ５とし、仮想アドレスａ２，ａ３，ａ５に終了フラグENDを与える。
【００８５】
よって、ディレクトリ管理テーブルＴ５では、ファイルｆ１，ｆ２，ｆ３に対して、それぞれの開始仮想アドレスａ０，ａ３，ａ４を表すポインタが与えられる。又、論理物理変換テーブルＴ７では、実際のアドレス位置とＦＡＴエントリ管理テーブルＴ６におけるアドレス位置との相関関係が示される。即ち、仮想アドレスａ０〜ａ１０がそれぞれ、アドレスＡ５，Ａ６，Ａ９，Ａ１０，Ａ１４，Ａ１５，Ａ３，Ａ４，Ａ７，Ａ１１，Ａ１３であることが記録される。
【００８６】
このようにして管理テーブルＴ５，Ｔ６及び論理物理変換テーブルＴ７が仮想管理テーブルとして作成されると、管理テーブルＴ１，Ｔ２とともにワークＲＡＭ２４内に一時記録される。そして、コンテンツ名などのファイルｆ１〜ｆ３に関する情報が認識され、内部Ｉ／Ｆコマンド変換部１６及びマイコンＩ／Ｆ１４を介してシステムマイコン２１に与えられ、表示部２２に表示される。又、端末装置２７と外部ホストＩ／Ｆ１８を介して接続されているとき、生成されたディレクトリ管理テーブルＴ５及びＦＡＴエントリ管理テーブルＴ６が端末装置２７に与えられ、端末装置２７において、光磁気ディスク１内にファイルｆ１〜ｆ３が記録されていることが認識される。
【００８７】
そして、表示部２２に表示されたコンテンツからＦＡＴ管理型のファイルシステムによるコンテンツが選択されたことが入力部２３によって入力されると、システムマイコン２１より再生動作を行うように制御信号が出力される。この制御信号がマイコンＩ／Ｆ１４を介して内部Ｉ／Ｆコマンド変換部１６に与えられると、信号処理部１５がワークＲＡＭ２４内のディレクトリ管理テーブルＴ５を確認し、目的のコンテンツのファイルが認識される。そして、ファイルを構成する単位記録領域の仮想アドレスがワークＲＡＭ２４内のＦＡＴエントリ管理テーブルＴ６で認識される。その後、ワークＲＡＭ２４内の論理物理変換テーブルＴ７を照会することで、仮想アドレスが示す実際のアドレスを確認し、目的のコンテンツのファイルを構成する単位記録領域のアドレスを認識する。
【００８８】
又、端末装置２７で選択された場合は、端末装置２７において、端末装置２７に与えられたディレクトリ管理テーブルＴ５及びＦＡＴエントリ管理テーブルＴ６によって、目的のコンテンツのファイルを構成する単位記録領域の仮想アドレスが認識される。そして、この認識された仮想アドレスが端末装置２７より出力されると、外部ホストＩ／Ｆ１８を介して内部Ｉ／Ｆコマンド変換部１６に与えられる。よって、この仮想アドレスが信号処理部１５に与えられて、ワークＲＡＭ２４内の論理物理変換テーブルＴ７を照会することで、仮想アドレスが示す実際のアドレスを確認し、目的のコンテンツのファイルを構成する単位記録領域のアドレスを認識する。
【００８９】
このとき、例えば、ファイルｆ１のコンテンツが選択されると、ディレクトリ管理テーブルＴ５よりＦＡＴエントリ管理テーブルＴ６の仮想アドレスａ０を表すポインタが認識される。よって、ＦＡＴエントリ管理テーブルＴ６における仮想アドレスａ０の単位記録領域が確認され、ポインタａ１よりリンク先の単位記録領域の仮想アドレスａ１が認識される。そして、仮想アドレスａ１の単位記録領域が確認され、リンク先の単位記録領域の仮想アドレスａ２が認識される。最後に、仮想アドレスａ２の単位記録領域が確認され、終了フラグENDよりリンク先の単位記録領域がないことが認識される。
【００９０】
このように、仮想アドレスａ０〜ａ２の単位記録領域のデータがａ０→ａ１→ａ２の順でファイルｆ１のコンテンツを構成することが確認されるため、論理物理変換テーブルＴ７を照会することによって、アドレスＡ５，Ａ６，Ａ９の単位記録領域のデータがＡ５→Ａ６→Ａ９の順でファイルｆ１のコンテンツを構成することが認識される。又、ファイルｆ２，ｆ３のコンテンツが選択されたときも同様の動作を行う。
【００９１】
このようにして、選択されたコンテンツが記録されている単位記録領域のアドレスが認識される。そして、コンテンツの再生又は複製が指示されたとき、そのコンテンツのデータを読み出すため、スタートアンドエンドアドレス管理型のファイルシステムによるコンテンツを読み出す場合と同様、各ブロックが動作し、認識されたアドレス位置にレーザ光を照射することでデータが読み出される。尚、ＦＡＴ管理型のファイルシステムによるコンテンツの再生は、後述するように、一度、スタートアンドエンドアドレス管理型のファイルシステムに変更されてから再生される。
【００９２】
尚、入力部２３又は端末装置２７によって再生が指示されたとき、後述するように、信号処理部１５で得られたコンテンツのデータが暗号処理部１７でスタートアンドエンドアドレス管理型のファイルシステムのコンテンツに変更されて、光磁気ディスク１に記録され、再度、読み出しが行われる。その後、この読み出されたデータが信号処理部１５から復号化回路１９及びＤＡコンバータ２５を介して出力されることで、再生される。
【００９３】
又、端末装置２７によって複製が指示されたとき、信号処理部１５で得られたコンテンツのデータが、内部Ｉ／Ｆコマンド変換部１６及び外部ホストＩ／Ｆ１８を介して端末装置２７に送出される。又、得られたコンテンツのデータが暗号化されている場合、暗号化されていることを示す信号をシステムマイコン２１又は端末装置２７に送信し、表示部２２又は端末装置２７の表示部に暗号化されていることを表示する。この暗号化されたコンテンツの処理動作については、後述する。
【００９４】
又、端末装置２７で新たなファイルとなるコンテンツが生成されて光磁気ディスク１に記録するように要求されると、端末装置２７に与えられたＦＡＴエントリ管理テーブルＴ６より仮想アドレスａ６〜ａ８，ａ１０の単位記録領域が空き記録領域であることが確認される。そして、記録動作を行うための制御信号が外部ホストＩ／Ｆ１８を介して内部Ｉ／Ｆコマンド変換部１６に与えられる。よって、内部Ｉ／Ｆコマンド変換部１６において制御信号が確認されることで、端末装置２７から光磁気ディスク１にデータが記録されることが認識される。
【００９５】
その後、記録されるファイルのデータが記録される単位記録領域の仮想アドレスとともに端末装置２７から送信され、外部ホストＩ／Ｆ１８及び内部Ｉ／Ｆコマンド変換部１６を介して信号処理部１５に与えられる。信号処理部１５では、ワークＲＡＭ２４内の論理物理変換テーブルＴ７を参照して、仮想アドレスが示す実際のアドレスを確認し、データが記録される単位記録領域を確認して、送信されたデータを記録する。即ち、仮想アドレスａ６が端末装置２７から送信されたとき、論理物理変換テーブルＴ７より、実際のアドレスＡ３であることを確認し、同様に端末装置２７から送信されたデータをアドレスＡ３の単位記録領域に記録する。
【００９６】
このとき、信号処理部１５に与えられたデータがヘッドドライバ７に与えられ磁気ヘッド２が駆動される。又、スピンドルモータ４及びスレッドモータ５が駆動されて、磁気ヘッド２及び光ピックアップ３がアドレスＡ３の単位記録領域に位置するように移動され、磁気ヘッド２が光磁気ディスク１に近接するように昇降モータ６が駆動する。
【００９７】
そして、アドレスＡ３の単位記録領域にデータが記録された後、更にデータが送信されると、その記録される単位記録領域の仮想アドレスがａ７，ａ８，ａ１０の順に送信されるため、実際のアドレスがＡ４，Ａ７，Ａ１３の順に確認されて、確認された単位記録領域にデータが記録される。このとき、仮想アドレスａ７，ａ８に相当するアドレスＡ４，Ａ７の単位記録領域にデータが記録されるものとすると、図６のように、ＦＡＴエントリ管理テーブルＴ６において、仮想アドレスａ６，ａ７，ａ８の単位記録領域の属性フラッグが２とされ、仮想アドレスａ６，ａ７の単位記録領域にリンク先を表すポインタａ７，ａ８が、仮想アドレスａ８の単位記録領域に終了フラグENDが記録される。
【００９８】
同時に、この記録されたコンテンツがファイルｆ４であるとすると、ディレクトリ管理テーブルＴ５において、図６のように、ファイルｆ４の開始仮想アドレスａ６がポインタとして記録される。そして、この更新したディレクトリ管理テーブルＴ５及びＦＡＴエントリ管理テーブルＴ６をワークＲＡＭ２４に記録するとともに、端末装置２７に送信する。
【００９９】
その後、オリジナル管理テーブルＴ３及びオリジナルディレクトリ管理テーブルＴ４を光磁気ディスク１より読み出す。そして、オリジナル管理テーブルＴ３において、アドレスＡ３，Ａ４，Ａ７の単位記録領域の属性フラッグが２とされ、アドレスＡ３，Ａ４の単位記録領域にリンク先を表すポインタＡ４，Ａ７が、アドレスＡ７の単位記録領域に終了フラグENDが記録される。又、オリジナルディレクトリ管理テーブルＴ４において、ファイルｆ４の開始アドレスＡ３がポインタとして記録される。この更新したオリジナル管理テーブルＴ３及びオリジナルディレクトリ管理テーブルＴ４を光磁気ディスク１に書き込む。
【０１００】
５．ＦＡＴ管理型のファイルシステムによるコンテンツの再生
上述のようにＦＡＴ管理型のファイルシステムによるコンテンツのデータが光磁気ディスク１内に格納されているが、記録されているＦＡＴ管理型のファイルシステムによるデータの全て又は一部が暗号化されている。よって、ＦＡＴ管理型のファイルシステムによるデータのコンテンツは、上述のように、端末装置２７により別の記録媒体に複製することができるが、暗号化されている場合、この暗号化を解除しない限り再生することができない。尚、暗号化されていないデータによるコンテンツは、端末装置２７により別の記録媒体に記録したときも、この記録媒体より再生することは可能である。
【０１０１】
（ａ）暗号化されていないデータによるコンテンツ
例えば試聴用の音楽コンテンツなどのように、一般に公布するためのコンテンツについては、暗号化されていない。このようなコンテンツが再生されるように図１の記録再生装置の入力部２３によって指示されると、上述のように、仮想のディレクトリ管理テーブルＴ５及びＦＡＴエントリ管理テーブルＴ６及び論理物理変換テーブルＴ７が用いられて、光磁気ディスク１よりコンテンツを構成するデータが読み出される。
【０１０２】
この読み出されたデータは、信号処理部１５より暗号処理部１７に送出され、スタートアンドエンドアドレス管理型のファイルシステムに応じたコンテンツのデータに変換される。このとき、まず、トラック管理テーブルＴ１及びスタートアンドエンドアドレス管理テーブルＴ２より空き状態の単位記録領域を確認し、空き状態であることを確認した光磁気ディスク１の単位記録領域に読み出したデータを順番に記録する。
【０１０３】
そして、スタートアンドエンドアドレス管理型のファイルシステムによるコンテンツを記録するときと同様、トラック管理テーブルＴ１及びスタートアンドエンドアドレス管理テーブルＴ２を更新する。その後、オリジナル管理テーブルＴ３を光磁気ディスク１より読み出して、記録した単位記録領域の属性フラグを０から１とするとともに必要なポインタ及び終了フラグを加えて更新する。又、ＦＡＴエントリ管理テーブルＴ６及び論理物理変換テーブルＴ７は、属性フラグが０から１に変更された単位記録領域を表す部分が削除されて、新たに作成される。
【０１０４】
即ち、図２において、ファイルｆ２が暗号化されていないコンテンツであり、このファイルｆ２のコンテンツが再生されるように指示されると、上述のように、仮想のディレクトリ管理テーブルＴ５及びＦＡＴエントリ管理テーブルＴ６及び論理物理変換テーブルＴ７が用いられて、アドレスＡ１０の単位記録領域に記録されたデータが信号処理部１５に与えられる。そして、このデータは信号処理部１５から暗号化処理部１７に送出される。
【０１０５】
このとき、暗号化処理部１７では、このデータが暗号化されていないデータであることを確認し、スタートアンドエンドアドレス管理型のファイルシステムに応じたコンテンツとなるように変換する。まず、トラック管理テーブルＴ１及びスタートアンドエンドアドレス管理テーブルＴ２よりパーツｐ０を構成するアドレスＡ３，Ａ４の単位記録領域が空き状態であることを確認する。そして、光磁気ディスク１におけるアドレスＡ３の単位記録領域に、読み出したデータを記録する。
【０１０６】
その後、図７のように、トラック管理テーブルＴ１にファイルｆ２のコンテンツを表すトラックｔ３が作成されるとともに、スタートアンドエンドアドレス管理テーブルＴ２に新たにデータが記録されたパーツｐ６が作成される。そして、トラック管理テーブルＴ１において、トラックｔ３の開始パーツを表すポインタｐ６が格納される。又、スタートアンドエンドアドレス管理テーブルＴ２において、パーツｐ６がアドレスＡ３の単位記録領域で構成されるため、パーツｐ６に対して、開始アドレスＡ３及び終了アドレスＡ３及び終了フラグendが記録される。又、パーツｐ０の開始アドレスがＡ４とされる。
【０１０７】
更に、オリジナル管理テーブルＴ３が読み出されると、アドレスＡ３の単位記録領域において、その属性フラグが１とされるとともに終了フラグENDが与えられる。それに伴い、ＦＡＴ管理型のファイルシステムとしてアクセス可能な単位記録領域が１つ減ったので、ＦＡＴエントリ管理テーブルＴ６は、仮想アドレスａ６，ａ７，ａ９の単位記録領域の属性フラグが０とされるとともに仮想アドレスａ８の単位記録領域の属性フラグが３とされる。又、論理物理変換テーブルＴ７では、仮想アドレスａ６〜ａ９がアドレスＡ４，Ａ７，Ａ１１，Ａ１３を示すように変更される。
【０１０８】
このようにして、スタートアンドエンドアドレス管理型のファイルシステムによるコンテンツに変換されて光磁気ディスク１に記録されると、この記録されたデータが上述のようにして読み出されて、復号化回路１９で復号化された後、ＤＡコンバータ２５でアナログ信号に変換されて出力される。このとき、復号化回路１９は、図１の記録再生装置に予め与えられた規格の符号化方式に基づく復号化しかできない。よって、例えば、他の符号化方式によって符号化されたＦＡＴ管理型のファイルシステムによるデータが端末装置２７などより光磁気ディスク１に複製されて記録されているとき、図１の記録再生装置では、このデータをスタートアンドエンドアドレス管理型のファイルシステムによるデータに変換することは可能であるが、再生は不可能である。
【０１０９】
（ｂ）暗号化されたデータによるコンテンツ
又、暗号化されたコンテンツが再生されるように図１の記録再生装置の入力部２３によって指示されると、上述のように、仮想のディレクトリ管理テーブルＴ５及びＦＡＴエントリ管理テーブルＴ６及び論理物理変換テーブルＴ７が用いられて、光磁気ディスク１よりコンテンツを構成するデータが読み出される。この読み出されたデータは、信号処理部１５において暗号化されたデータであることが確認される。
【０１１０】
よって、表示部２２に平文化するか否かを表示部２２に表示する。このとき、入力部２３が操作されて平文化することが指示されると、光磁気ディスク１より光磁気ディスク１固有のメディアＩＤとコンテンツ固有のコンテンツＩＤとが読み出されて、表示部２２に表示される。同時に、このコンテンツのデータを平文化する鍵情報を入力するための表示も表示部２２で行われる。ユーザはメディアＩＤ及びコンテンツＩＤを確認すると、後述するように、コンテンツを平文化する鍵情報を管理しているサーバに対して、ネットワークなどを通じて送信する。サーバは、送信されたメディアＩＤ及びコンテンツＩＤより鍵情報を生成し、ユーザにネットワークを通じて送信する。
【０１１１】
ユーザはサーバより鍵情報を受信すると、入力部２３によって得られた鍵情報を入力する。この鍵情報は、システムマイコン２１及びマイコンＩ／Ｆ１４及び内部Ｉ／Ｆコマンド変換部１６を介して暗号処理部１７に送出される。そして、暗号処理部１７において、この鍵情報を用いて信号処理部１５より送出されたコンテンツのデータを平文化する。更に、このように平文化されたデータを、スタートアンドエンドアドレス管理型のファイルシステムに応じたコンテンツのデータに変換するとともに、暗号化されている元のデータを光磁気ディスク１から削除する。
【０１１２】
このとき、まず、オリジナル管理テーブルＴ３を光磁気ディスク１より読み出して、データを削除した単位記録領域の属性フラグを２から０とする。そして、この更新したオリジナル管理テーブルＴ３による空き記録領域全てで構成される空きトラックがトラック管理テーブルＴ１及びスタートアンドエンドアドレス管理テーブルＴ２により示されるように、トラック管理テーブルＴ１及びスタートアンドエンドアドレス管理テーブルＴ２を更新する。更に、この更新したトラック管理テーブルＴ１及びスタートアンドエンドアドレス管理テーブルＴ２から空き状態の単位記録領域を確認し、空き状態であることを確認した光磁気ディスク１の単位記録領域に読み出したデータを順番に記録する。
【０１１３】
その後、スタートアンドエンドアドレス管理型のファイルシステムによるコンテンツを記録するときと同様、トラック管理テーブルＴ１及びスタートアンドエンドアドレス管理テーブルＴ２を更新する。そして、再び、オリジナル管理テーブルＴ３を光磁気ディスク１より読み出して、記録した単位記録領域の属性フラグを０から１とするとともに必要なポインタ及び終了フラグを加える。更に、オリジナルディレクトリ管理テーブルＴ４を光磁気ディスク１より読み出して、スタートアンドエンドアドレス管理型のファイルシステムに変更したコンテンツのファイルを削除する。又、ディレクトリ管理テーブルＴ５及びＦＡＴエントリ管理テーブルＴ６及び論理物理変換テーブルＴ７が、新たに更新されたオリジナル管理テーブルＴ３及びオリジナルディレクトリ管理テーブルＴ４それぞれに基づいて新たに作成される。
【０１１４】
即ち、図７において、ファイルｆ１が暗号化されたコンテンツであり、このファイルｆ１のコンテンツが再生されるように指示されると、上述のように、仮想のディレクトリ管理テーブルＴ５及びＦＡＴエントリ管理テーブルＴ６及び論理物理変換テーブルＴ７が用いられて、アドレスＡ５，Ａ６，Ａ９の単位記録領域に記録されたデータが順番に信号処理部１５に与えられる。そして、このデータは信号処理部１５から暗号化処理部１７に送出される。
【０１１５】
このとき、ファイルｆ１のコンテンツに対するコンテンツＩＤ及び光磁気ディスク１のメディアＩＤも光磁気ディスク１より読み出されて、信号処理部１５より内部Ｉ／Ｆコマンド変換部１６及びマイコンＩ／Ｆ１４及びシステムマイコン２１を介して表示部２２に与えられて表示される。そして、このメディアＩＤ及びコンテンツＩＤより鍵情報をユーザが得て、入力部２３より鍵情報が入力されると、この鍵情報が暗号処理部１７に送出される。
【０１１６】
よって、アドレスＡ５，Ａ６，Ａ９の単位記録領域に記録されたデータが与えられた鍵情報に基づいて平文化される。このように、正しい鍵情報を獲得して平文化されると、光磁気ディスク１のアドレスＡ５，Ａ６，Ａ９の単位記録領域に記録されたデータが削除される。このとき、オリジナル管理テーブルＴ３が読み出されると、図８のように、アドレスＡ５，Ａ６，Ａ９の属性フラグが２から０に変更される。そして、スタートアンドエンドアドレス管理テーブルＴ２において、パーツｐ０の開始アドレス及び終了アドレスをそれぞれＡ４，Ａ７とし、パーツｐ１の開始アドレス及び終了アドレスをそれぞれＡ９，Ａ９とする。尚、１つのパーツを構成する単位記録領域の数に上限がないものとする。
【０１１７】
そして、この平文化されたデータによるコンテンツが、スタートアンドエンドアドレス管理型のファイルシステムに応じたコンテンツとなるように変換する。まず、トラック管理テーブルＴ１及びスタートアンドエンドアドレス管理テーブルＴ２よりパーツｐ０を構成するアドレスＡ４〜Ａ７の単位記録領域が空き状態であることを確認する。そして、光磁気ディスク１におけるアドレスＡ４〜Ａ６の単位記録領域に、平文化したデータを記録する。
【０１１８】
その後、図９のように、トラック管理テーブルＴ１にファイルｆ１のコンテンツを表すトラックｔ４が作成されるとともに、スタートアンドエンドアドレス管理テーブルＴ２に新たにデータが記録されたパーツｐ７が作成される。そして、トラック管理テーブルＴ１において、ファイルｔ４の開始パーツを表すポインタｐ７が格納される。又、スタートアンドエンドアドレス管理テーブルＴ２において、パーツｐ７がアドレスＡ４〜Ａ６の単位記録領域で構成されるため、パーツｐ７に対して、開始アドレスＡ４及び終了アドレスＡ６及び終了フラグendが記録される。又、パーツｐ０の開始アドレスがＡ７とされる。
【０１１９】
更に、再び、オリジナル管理テーブルＴ３が読み出されると、アドレスＡ４〜Ａ６の単位記録領域において、その属性フラグが１とされるとともに、アドレスＡ４，Ａ５の単位記録領域それぞれにポインタＡ５，Ａ６が、又、アドレスＡ６の単位記録領域に終了フラグENDが与えられる。又、オリジナルディレクトリ管理テーブルＴ４も読み出されて、ファイルｆ１が削除される。
【０１２０】
それに伴い、ＦＡＴ管理型のファイルシステムとしてアクセス可能なコンテンツが１つ減ったので、ディレクトリ管理テーブルＴ５において、ファイルｆ１が削除されるとともに、ファイルｆ２，ｆ３に対して開始仮想アドレスａ０，ａ１が記録される。又、ＦＡＴエントリ管理テーブルＴ６は、仮想アドレスａ０〜ａ２の単位記録領域の属性フラグが２とされ、仮想アドレスａ３，ａ４，ａ６の単位記録領域の属性フラグが０とされ、仮想アドレスａ５の単位記録領域の属性フラグが３とされる。そして、仮想アドレスａ０，ａ２の単位記録領域に終了フラグENDが与えられ、仮想アドレスａ１の単位記録領域にポインタａ２が与えられる。又、論理物理変換テーブルＴ７では、仮想アドレスａ０〜ａ６がアドレスＡ１０，Ａ１４，Ａ１５，Ａ７，Ａ９，Ａ１１，Ａ１３を示すように変更される。
【０１２１】
尚、元の暗号化されたデータ全てが平文化された後、ＦＡＴ管理型のファイルシステムのデータとして記録された元の単位記録領域のデータが削除され、空き状態の単位記録領域にスタートアンドエンドアドレス管理型のファイルシステムのデータとして新たに記録されるものとした。しかしながら、例えば１単位領域毎のように、所定の単位記録領域毎に元のデータの削除と平文化後のデータの記録とが行われるようにしても構わない。
【０１２２】
即ち、１単位記録領域毎のとき、アドレスＡ５の単位記録領域のデータが平文化されると、アドレスＡ５の単位記録領域のデータが削除されるとともにアドレスＡ４の単位記録領域に書き込まれる。その後、アドレスＡ６の単位記録領域のデータが平文化されると、アドレスＡ６の単位記録領域のデータが削除されるとともにアドレスＡ５の単位記録領域に書き込まれ、又、アドレスＡ９の単位記録領域のデータが平文化されると、アドレスＡ９の単位記録領域のデータが削除されるとともにアドレスＡ６の単位記録領域に書き込まれる。
【０１２３】
又、ＦＡＴ管理型のファイルシステムによる暗号化されたデータが平文化されると、元の暗号化されたデータが削除されるものとしたが、平文化された回数を記録し、この平文化された回数が所定回数を超えたときに元の暗号化されたデータが削除されるようにしても構わない。
【０１２４】
（ｃ）鍵情報の入力
ＦＡＴ管理型のファイルシステムのコンテンツには、上述したように、暗号化されたものがあり、コンテンツ固有の鍵情報より平文化が成される。この鍵情報は、入力部２３でユーザによって入力されるが、この鍵情報を得るために、サーバにネットワークを通じて表示部２２に表示されて確認したメディアＩＤ及びコンテンツＩＤをユーザが送信する必要がある。
【０１２５】
即ち、上述したように、暗号化されたコンテンツのうち、平文化するコンテンツが指定されると、表示部２２に、光磁気ディスク１固有のメディアＩＤと指定されたコンテンツ固有のコンテンツＩＤとが表示される。この表示されたメディアＩＤ及びコンテンツＩＤをユーザが確認すると、インターネットなどのネットワークに接続されたパーソナルコンピュータやＰＤＡや携帯電話などの端末装置を利用して、確認したメディアＩＤ及びコンテンツＩＤを入力する。
【０１２６】
端末装置に入力されたメディアＩＤ及びコンテンツＩＤは、ネットワークを通じてサーバに送信される。サーバでは、このメディアＩＤ及びコンテンツＩＤを受信すると、メディアＩＤ及びコンテンツＩＤによってサーバ側で設定した鍵信号を暗号化することによって鍵情報を生成し、送信する。即ち、メディアＩＤ及びコンテンツＩＤをそれぞれＭｉ、Ｃｉとし、鍵信号をＫｉとし、暗号化を施す関数をＦ（）とすると、鍵情報Ｋｓは、Ｋｓ＝Ｆ（Ｍｉ，Ｃｉ，Ｋｉ）となる。この鍵情報を端末装置で受信し、ユーザが確認すると、入力部２３を操作することで、図１の記録再生装置に確認した鍵情報を入力する。
【０１２７】
入力された鍵情報は、システムマイコン２１及びマイコンＩ／Ｆ１４及び内部Ｉ／Ｆコマンド変換を介して暗号処理部１７に送出される。暗号処理部１７では、鍵情報をメディアＩＤ及びコンテンツＩＤを用いて平文化することによって、コンテンツを平文化するための鍵信号を得る。即ち、平文化を施す関数をｆ１（）とすると、コンテンツを平文化するための鍵信号Ｋｐは、Ｋｐ＝ｆ１（Ｍｉ，Ｃｉ，Ｋｓ）となる。
【０１２８】
この鍵信号を得ると、更に、暗号化されたコンテンツのファイルと鍵信号を用いて、最終的にコンテンツのデータを平文化するための鍵信号を生成する。即ち、暗号化されたコンテンツのファイルをＦＩＬＥとし、平文化を施す関数をｆ２（）とすると、コンテンツのデータを平文化するための鍵信号Ｋｃは、Ｋｃ＝ｆ２（ＦＩＬＥ，Ｋｐ）となる。よって、このように生成された鍵信号を用いてコンテンツのデータを平文化する。即ち、平文化を施す関数をｆ３（）とすると、平文化されたデータによるコンテンツｆｉｌｅは、ｆｉｌｅ＝ｆ３（ＦＩＬＥ，Ｋｃ）となる。
【０１２９】
このように、鍵情報がサーバより送信されるとき、例えば、サーバ側において、ユーザより電子メールが送信されることでユーザを確認して課金するようにしても構わないし、又、安全性を高めるためにユーザ認証を行った後に課金するようにしても構わない。又、インターネットを利用した例を挙げたが、例えば、電話などでユーザが直接サーバ側に電話し、ユーザ認証を行うことで課金処理を行い、鍵情報が伝えられるようにしても構わない。
【０１３０】
又、図１の記録再生装置の外部ホストＩ／Ｆ１８と接続された端末装置２７が、上述のように、インターネットなどのネットワークを通じてサーバと通信を行い、鍵情報が端末装置２７を介して記録再生装置に自動的に与えられるようにしても構わない。このとき、光磁気ディスク１に記録されたメディアＩＤ及びコンテンツＩＤが信号処理部１５より読み出されると、内部Ｉ／Ｆコマンド変換部１６及び外部ホストＩ／Ｆ１８を通じて端末装置２７に与えられて、サーバに送信される。その後、サーバからの鍵情報が端末装置２７で受信されると、内部Ｉ／Ｆコマンド変換部１６及び外部ホストＩ／Ｆ１８を通じて暗号処理部１７に与えられる。
【０１３１】
更に、外部ホストＩ／Ｆ１８と接続された端末装置２７によって自動的に鍵情報が得られるとき、外部ホストＩ／Ｆ１８と接続可能な自動販売機のように、端末装置２７が鍵情報の発行及び課金処理を施すようにしても構わない。又、外部ホストＩ／Ｆ１８にインターネットプロトコルを実装し、外部ホストＩ／Ｆ１８に接続された端末装置２７を介して、このインターネットプロトコルによるサーバ専用のサイトにアクセスし、課金処理及び鍵情報の発行が行われるようにしても構わない。
【０１３２】
６．使用例
本実施形態における一使用例を、以下に説明する。例えば、光磁気ディスク１に、曲の販促のキャンペーンで、スタートアンドエンドアドレス管理型のファイルシステムによるコンテンツとして、曲のイントロ部分など一部が欠けているもの又は一部に紹介アナウンスが音楽に重ねられているものが記録されているものとする。このコンテンツを平文化コンテンツとする。そして、ＦＡＴ管理型のファイルシステムで暗号化されているコンテンツとして、上記の欠けている部分のファイル、又は、アナウンス部分を補うファイルが記録されているものとする。このコンテンツを暗号化コンテンツとする。この平文化コンテンツと暗号化コンテンツとを対応づけるための情報が、暗号化コンテンツのファイルヘッダとして記録されているものとする。
【０１３３】
上述のようにして暗号化コンテンツを平文化する際、そのファイルヘッダから平文化コンテンツと対応づけた情報が読み出され、平文化された暗号化コンテンツと平文化コンテンツとを結合する。この結合は、スタートアンドエンドアドレス管理テーブルＴ２のリンク先を示すポインタを更新することで可能である。よって、平文化することによって、１曲の音楽ファイルとしてコンテンツや完全な紹介アナウンスを光磁気記録ディスク１に記録することができる。
【０１３４】
又、コンテンツが音楽ファイルであるとき、１曲のファイルがスタートアンドエンドアドレス管理型のファイルシステムによるコンテンツである場合、又は、１曲のファイルがＦＡＴ管理型のファイルシステムによるコンテンツであるとともに暗号化されていない場合、暗号化されたＦＡＴ管理型のファイルシステムによる１つのコンテンツで暗号化されたものが、複数曲分の音楽ファイルを構成するようにしても構わない。このとき、この暗号化された１つのコンテンツのファイルヘッダにそれぞれのトラックの分割情報が書き込まれ、このコンテンツを平文化したとき、複数の曲の音楽ファイルが平文化される。
【０１３５】
７．メモリカードを記録媒体としたとき
尚、本実施形態において、光磁気ディスクを例に挙げて説明したが、光磁気ディスク以外の記録媒体によるものでも構わない。図１０及び図１１に、メモリカードを記録媒体として利用する記録再生装置及びメモリカードの内部構成を示すブロック図である。図１０において、メモリカード１ａは、上述の各コンテンツ及び各ＩＤが格納されているメモリ１００と、上述の各管理テーブルＴ１〜Ｔ４が記録されるとともにメモリ１００のメモリアドレスなどを管理するコントローラ１０１とを備える。このとき、記録再生装置は、図１のものと異なり、図１０のように、コントローラ１０１と接続されてデータの送受信を行うカードＩ／Ｆ３０を備える。
【０１３６】
又、図１１では、メモリカード１ｂは、図１０のメモリカード１ａと異なり、図１及び図１０の記録再生装置に備えられた暗号処理部１７と同一の動作を行う暗号処理部１０２を備える。このとき、図１１の記録再生装置は、暗号処理部１７を省いた構成とすることができる。更に、図１０及び図１１のメモリカード１ａ，１ｂにおいて、ＦＡＴ管理型のファイルシステムを利用するための仮想の管理テーブルなどを生成するようにしても構わない。
【０１３７】
８．外部の端末装置に記録されたコンテンツの平文化
上述の実施形態において、ＦＡＴ管理型のファイルシステムによるコンテンツのうち、暗号化されたコンテンツ（以下、暗号化コンテンツとする）をインターネットなどのネットワークを通じて端末装置２７で受信し記録されるものとしても構わない。このとき、この暗号化コンテンツを平文化するためには、まず、暗号化コンテンツを記録した端末装置２７を図１、図１０又は図１１のいずれかに記載の記録再生装置と接続することで、暗号化コンテンツを記録再生装置の信号処理部１５に送出する。そして、この記録再生装置固有の装置ＩＤと暗号化コンテンツ固有のコンテンツＩＤを確認してサーバに送信する。このようにすることで、記録再生装置の保有者であるユーザをサーバが確認することができる。
【０１３８】
そして、サーバでは、この装置ＩＤ及びコンテンツＩＤから鍵情報を生成して送信する。このサーバから送信された鍵情報を受信すると、上述のように、ユーザが鍵情報を入力部２３によって入力したり又は外部ホストＩ／Ｆ１８を通じて端末装置２７から送出される。よって、信号処理部１５に保持された暗号化コンテンツが暗号処理部１７で受信した鍵情報によって平文化される。
【０１３９】
この平文化された暗号化コンテンツのデータが、スタートアンドエンドアドレス管理型のファイルシステムのコンテンツによるデータとして、光磁気ディスク１やメモリカード１ａ，１ｂなどに記録される。このようにすることで、サーバは、装置毎に各コンテンツの平文化回数を確認することができる。よって、回数毎に課金処理を施すことができる。又、装置ＩＤの代わりにユーザ毎に与えられるユーザＩＤがサーバに送信されるものとしても構わない。
【０１４０】
９．管理テーブルの暗号化
又、上述の実施形態において、光磁気ディスク１やメモリカード１ａ，１ｂなどの記録媒体に記録される各管理テーブルＴ１〜Ｔ４が記録媒体固有のメディアＩＤで暗号化されているものとしても構わない。又、各管理テーブルＴ１〜Ｔ４が改ざんされているか否かを調査するチェックコードを生成し、記録媒体から管理テーブルＴ１〜Ｔ４を読み出す際、このチェックコードを用いて改ざんされているか否かを確認するようにしても構わない。このとき、少なくともオリジナル管理テーブルＴ３及びオリジナルディレクトリ管理テーブルＴ４が、メディアＩＤによって暗号化されたり、チェックコードで改ざんが確認されるようにしてもよい。
【０１４１】
更に、暗号化コンテンツの平文化など、光磁気ディスク１やメモリカード１ａ，１ｂなどの記録媒体への書き込みが行われたときに、メディアＩＤを更新するようにしても構わない。このとき、図１、図１０又は図１１の記録再生装置でメディアＩＤを更新するようにしても構わないし、メモリカード１ａ，１ｂ内のコントローラ１０１でメディアＩＤを更新するようにしても構わない。
【０１４２】
【発明の効果】
本発明によると、第２管理システムによるデータのうちの暗号化された暗号化データが平文化されると、第１管理システムによるデータに変換されるため、第２管理システムによって動作する装置によって平文化されたデータが再生されることを防ぐことができる。よって、パーソナルコンピュータなどで利用されるＦＡＴ管理型のファイルシステムが第２管理システムであるとき、このＦＡＴ管理型のファイルシステムを扱う装置と親和性の悪いスタートアンドエンドアドレス管理型のファイルシステムを第１管理システムとすると、平文化されたデータがパーソナルコンピュータなどで自由に複製されることを防ぐことができる。
【０１４３】
又、第２管理システムで動作する装置に対して、前記第２管理システム用の仮想管理テーブルである第４管理テーブルのみが与えられるため、記録媒体内のデータ管理状態の秘匿性を高めることができる。又、記録再生装置は、コンテンツの再生記録を行う装置として動作するだけでなく、他の端末装置に接続され第２管理システムでデータの移動が行われるストレージ装置として動作させることができる。又、鍵情報の発行にメディアＩＤ又は装置ＩＤを要求することで、サーバ側で記録媒体毎又は記録再生装置毎に管理を行うことができ、コンテンツの著作権を保護することができる。更に、第１管理システムを利用する従来の再生専用の装置においても第１管理システムによるデータについて再生することができる。
【図面の簡単な説明】
【図１】本発明の記録再生装置の内部構成を示すブロック図。
【図２】記録媒体に記録されるテーブルの構成を示す図。
【図３】スタートアンドエンドアドレス管理型のファイルシステムのデータを処理する際の動作を説明するための図。
【図４】スタートアンドエンドアドレス管理型のファイルシステムのデータを処理する際の動作を説明するための図。
【図５】ＦＡＴ管理型のファイルシステムのデータを処理するために生成される仮想のテーブルの構成を示す図。
【図６】ＦＡＴ管理型のファイルシステムのデータを処理する際の動作を説明するための図。
【図７】ＦＡＴ管理型のファイルシステムの暗号化されていないデータによるコンテンツを再生する際のデータの処理動作を説明するための図。
【図８】ＦＡＴ管理型のファイルシステムの暗号化されたデータによるコンテンツを再生する際のデータの処理動作を説明するための図。
【図９】ＦＡＴ管理型のファイルシステムの暗号化されたデータによるコンテンツを再生する際のデータの処理動作を説明するための図。
【図１０】本発明の別の記録再生装置及び記録媒体の内部構成を示すブロック図。
【図１１】本発明の別の記録再生装置及び記録媒体の内部構成を示すブロック図。
【図１２】ＦＡＴ管理型のファイルシステムにおける管理テーブルの構成を示す図。
【図１３】スタートアンドエンドアドレス管理型のファイルシステムにおける管理テーブルの構成を示す図。
【符号の説明】
１    光磁気ディスク
２    磁気ヘッド
３    光ピックアップ
４    スピンドルモータ
５    スレッドモータ
６    昇降モータ
７    ヘッドドライバ
８    ＲＦ処理部
９    スピンドルドライバ
１０    ＰＷＭドライバ
１１    昇降モータドライバ
１２    デジタルＲＦ処理部
１３    デジタルサーボ
１４    マイコンＩ／Ｆ
１５    信号処理部
１６    内部Ｉ／Ｆコマンド変換部
１７    暗号処理部
１８    外部ホストＩ／Ｆ
１９    復号化回路
２０    符号化回路
２１    システムマイコン
２２    表示部
２３    入力部
２４    ワークＲＡＭ
２５    ＤＡコンバータ
２６    ＡＤコンバータ
２７    端末装置
【図１】
2004206609.tif 000003
【図２】
2004206609.tif 000004
【図３】
2004206609.tif 000005
【図４】
2004206609.tif 000006
【図５】
2004206609.tif 000007
【図６】
2004206609.tif 000008
【図７】
2004206609.tif 000009
【図８】
2004206609.tif 000010
【図９】
2004206609.tif 000011
【図１０】
2004206609.tif 000012
【図１１】
2004206609.tif 000013
【図１２】
2004206609.tif 000014
【図１３】
2004206609.tif 000015